(57)【要約】【課題】棒金の包装体を容易に開封でき、且つ棒金の包装体を開封した際に包装体の切り屑を保持できて釣銭機内に混入させること等がない棒金開封装置を提供すること。【解決手段】棒金２００の一方端面を当接する第１ガイド部材１１０と、第１ガイド部材１１０と所定の間隔を保って設置される回転刃３１とを具備する。第１ガイド部材１１０と回転刃３１の間に形成される隙間を保持部Ｓとする。棒金２００の一方端面を第１ガイド部材１１０に当接させて回動しながら回転刃３１によって棒金２００の包装体２０１をカットし、カットした包装体２０１のカール部２０３を保持部Ｓ内に保持させる。【選択図】図７
2014182458.tif 000002
【特許請求の範囲】
【請求項１】
棒金の包装体を解体して硬貨を取り出す棒金開封装置において、
前記棒金の一方端面を当接するガイド部材と、
前記ガイド部材と所定の間隔を保って設置されるカッターと、を備え、
前記ガイド部材とカッターとの間に形成される隙間を保持部とし、
前記棒金の一方端面を前記ガイド部材に当接させて回動しながら前記カッターによってカットした棒金の一方端部の包装材が、前記保持部に保持されることを特徴とする棒金開封装置。
【請求項２】
前記ガイド部材は、前記棒金の一方端面と当接する凸部を更に備えたことを特徴とする請求項１に記載の棒金開封装置。
【発明の詳細な説明】
【技術分野】
【０００１】
本発明は、棒金（包装硬貨）の包装体を切断して硬貨を取り出す際に用いる棒金開封装置に関するものである。
【背景技術】
【０００２】
従来、ＰＯＳレジスタや券売機などに接続された自動釣銭機へ釣銭を補充するために、棒金（同一金種の硬貨を一定枚数だけ棒状にまとめて包装体により包装したもの）の包装体をカッター（例えば特許文献１参照）によって開封し、開封した硬貨を釣銭として前記自動釣銭機に補充するようにしている。
【０００３】
棒金は、積層した硬貨をシート材で形成した包装体により包むと共に、包装体の両端部を内側にカール（湾曲）することで、構成されている。
【先行技術文献】
【特許文献】
【０００４】
【特許文献１】実開昭６１−０７４５０７号公報
【発明の概要】
【発明が解決しようとする課題】
【０００５】
しかしながら、棒金の包装体をカッターによって開封する際、切り取った包装体の一部が、取り出した硬貨と共に釣銭補充時に自動釣銭機内に混入する場合があった。
【０００６】
このようなことが生じると、自動釣銭機で釣銭が払い出される際に、混入した包装体の切り屑（例えば切り取った包装体端部のカールしている部分等）が硬貨詰まりを生じさせてしまうという問題等が発生する恐れがあった。
【０００７】
本発明は上述の点に鑑みてなされたものでありその目的は、棒金の包装体を容易に開封でき、且つ棒金の包装体を開封した際に包装体の切り屑を保持できて釣銭機内に混入させること等がない棒金開封装置を提供することにある。
【課題を解決するための手段】
【０００８】
本発明は、棒金の包装体を解体して硬貨を取り出す棒金開封装置であって、前記棒金の一方端面を当接するガイド部材と、前記ガイド部材と所定の間隔を保って設置されるカッターと、を備え、前記ガイド部材とカッターとの間に形成される隙間を保持部とし、前記棒金の一方端面を前記ガイド部材に当接させて回動しながら前記カッターによってカットした棒金の一方端部の包装材が、前記保持部に保持されることを特徴としている。
この構成によれば、棒金の一方端面をガイド部材に当接して回動するだけで、包装体を容易に切り取って開封でき、同時に開封した際に生じる包装体の切り屑（切り取った包装体端部等）が保持されるので、この切り屑がバラした硬貨と共に釣銭の補充時に釣銭機内に混入してしまうこと等を確実に防止できる。これにより、包装体の端部が釣銭機内に混入し、釣銭を払い出すときに硬貨詰まりを生じさせるといったようなトラブルを防止できる。
また、本発明の棒金開封装置の前記ガイド部材は、前記棒金の一方端面と当接する凸部を更に備えたことを特徴とする。
この構成によれば、ガイド部材に設けられた凸部の先端面に棒金の露出する硬貨の面が当接するので、包装体の端部を潰すことがなく、ガイド部材の面から所定の高さ浮かせてカットする（または弱い力でガイド部材の面に当接させてカットする）ことができる。これによって棒金の回転が容易に行え、カットした包装体端部を確実に保持させることができる。
前記凸部の高さや保持部の隙間寸法を、カッターによって切り取られた切り屑が挟持される寸法に形成しておけば、切り取られた切り屑が確実にこの棒金開封装置に挟持されるので、好適である。
なおこの棒金開封装置は、バラした硬貨を釣銭機内に補充する場合だけに利用されるものではなく、それ以外にも、単に棒金を開封して直接手渡しで釣銭を渡す場合などにも利用できることは言うまでもない。
【発明の効果】
【０００９】
本発明によれば、棒金の包装体を容易に開封でき、且つ棒金の包装体を開封した際に生じる包装体の切り屑を保持できる。
【図面の簡単な説明】
【００１０】
【図１】棒金開封装置１の斜視図である。
【図２】棒金開封装置１を下側から見た斜視図である。
【図３】棒金開封装置１を下側から見た分解斜視図である。
【図４】棒金開封装置１の平面図である。
【図５】棒金開封装置１の側断面図（図４のＡ−Ａ断面図）である。
【図６】棒金開封装置１の先端側部分の拡大側断面図である。
【図７】棒金開封装置１による棒金２００の開封方法説明図である。
【図８】棒金開封装置１による棒金２００の開封方法説明図である。
【発明を実施するための形態】
【００１１】
以下、本発明の実施形態を図面を参照して詳細に説明する。
図１は本発明の一実施形態にかかる棒金開封装置１の斜視図、図２は棒金開封装置１を下側から見た斜視図、図３は棒金開封装置１を下側から見た分解斜視図、図４は棒金開封装置１の平面図、図５は棒金開封装置１の側断面図（図４のＡ−Ａ断面図）、図６は棒金開封装置１の先端側部分の拡大側断面図である。なお以下の説明において、下記する把持部１０からガイド部材１００側に向かう方向を「先端側」、その反対側に向かう方向を「後端側」ということとする。
【００１２】
これらの図に示すように、棒金開封装置１は、棒状のカッター部７０と、カッター部７０の先端近傍に取り付けられるガイド部材１００（第１，第２ガイド部材１１０，１５０）とを具備して構成されている。
【００１３】
この棒金開封装置１は、携帯して持ち歩けるものであり、ＰＯＳレジスタや券売機又は自動販売機等に組み付けられた釣銭機の近傍に備え付けても邪魔にならない小型形状となっている。なお、この実施形態においては携帯して持ち歩けるものを示したが本発明はこれに限らず、把持部１０に替えて装置内に据え付けを可能とする基材部とし、釣銭機などに組付けた棒金開封装置１としてもよい。
【００１４】
カッター部７０は、図３に示すように、細長で平板状の把持部１０の長手方向先端部にカッター取付部３０を設けて構成されている。
【００１５】
把持部１０は合成樹脂製であり、この棒金開封装置１を片手で掴むのに好適な所定長に形成されている。そしてカッター取付部３０を設ける側の端部には、カッター取付部３０の一部を構成する円形の載置部１１が一体に成形されている。把持部１０の中央近傍部分には、ガイド部材固定用の２つのビス挿通孔１５が形成されている。また載置部１１下面から把持部１０の下面にわたる位置には、下記する軸係止部材６０を所定距離前後方向にスライド自在に収納する直線状で凹状の挿入部１７が形成されている。また載置部１１の略中央には、図６に示すように、下記する固定ピン５０の固定軸５３を挿入する内径寸法の軸支孔１３が形成されている。軸支孔１３の下端は、前記挿入部１７の内底面に開口している。
【００１６】
カッター取付部３０は、円板状で外周に刃を有する金属製のカッター（以下この例では「回転刃」という）３１を、図６に示すように、前記把持部１０の先端に設けた載置部１１上に載置し、その上に合成樹脂製の保護カバー４０を載置し、さらに保護カバー４０上に設置した合成樹脂製の固定ピン５０の固定軸５３を、前記保護カバー４０に設けた貫通孔４５と、前記回転刃３１の中央に設けた軸支孔３３と、前記載置部１１に設けた軸支孔１３に貫通し、載置部１１の下面から突出した固定軸５３を載置部１１の下面側に設置した合成樹脂製の軸係止部材６０によって係止することで構成されている。このとき回転刃３１の外周の一部（先端側の一部）は外部（前方）に露出する。
【００１７】
ここで固定ピン５０は、円形のピン本体部５１と、ピン本体部５１の下面中央に設けられる略円柱状の固定軸５３とを一体成形して構成されている。固定軸５３の先端近傍位置には、外径を小さくしたリング状の凹部からなる係止部５５が設けられている。
【００１８】
保護カバー４０は、図１に示すように、回転刃３１の外径よりも外径が少し大きい略円板状のカバー部４１と、カバー部４１の外周から半径方向外方に向けて突出する平板細長のレバー部４３とを具備し、さらにレバー部４３の先端上面に操作部４４を設けて構成されている。カバー部４１の略中央には、図６に示すように、前記固定ピン５０の固定軸５３を挿通する貫通孔４５が設けられている。貫通孔４５は、カッター部７０の長手方向に向けて細長い長円形状に形成されている。つまり保護カバー４０は、固定軸５３に対して長手方向に所定寸法前後動可能に取り付けられる。
【００１９】
次に回転刃３１の軸支孔３３は、前記固定軸５３を回転自在に挿入できる寸法に形成されている。つまり回転刃３１は固定軸５３を中心に回動する。
【００２０】
軸係止部材６０は、例えば図２に示すように、略細長平板状で、前記挿入部１７に前後方向にスライド自在に挿入されており、その先端側には前記固定軸５３の係止部５５を係止する係止用スリット６１が設けられ、後端側には下方向に突出する操作部６３が設けられている。係止用スリット６１は、Ｔ字状のスリットの先端側が軸係止部材６０の先端辺に至って、軸係止部材６０の先端を２つに分割している。また係止用スリット６１の前記固定軸５３の係止部５５を係止する部分は、スリットの幅を広げて、例えば係止部５５の外径と略同一内径の円形孔状にしている（図示せず）。この係止用スリット６１によって容易に軸係止部材６０先端の分割された部分を広げて前記固定軸５３の係止部５５を係止できる構成となっている。
【００２１】
以上の説明から明らかなように、回転刃３１は、載置部１１の軸支孔１３に軸支された固定ピン５０の固定軸５３によって回転自在に軸支されている。そして図示の状態では、回転刃３１の外周の一部（先端側の一部）が外部（前方）に露出しているが、保護カバー４０の操作部４４を先端側（図６の矢印Ｃ方向）に向けて押圧すれば、保護カバー４０全体が貫通孔４５の隙間寸法分だけ先端側にスライド移動し、カバー部４１が回転刃３１の外周全体を覆う。これによって不使用時の回転刃３１の保護・安全が図られる。
【００２２】
なお、軸係止部材６０の操作部６３を後端側（図６の矢印Ｄ方向）に向けて引っ張れば、係止用スリット６１によって分割されている軸係止部材６０の先端部分が開き、係止用スリット６１から固定軸５３の係止部５５が外れ、これによって固定ピン５０を取り外して回転刃３１を取り替えることができる。
【００２３】
次にガイド部材１００は、例えば図１に示すように、凸部形成部材１７０を取り付けた第１ガイド部材１１０の上に、前記回転刃３１を挟んで、第２ガイド部１５０を取り付けることで構成されている。
【００２４】
第１ガイド部材１１０は金属板製であり、例えば図３に示すように、平板を略矩形状に形成して構成されている。そして第１ガイド部材１１０の先端側の辺の中央にはＵ字状に凹む指挿入部１１１が形成され、一方第１ガイド部材１１０の後端側の辺の両端部からは一対の取付部１１３，１１５が突出している。第１ガイド部材１１０の中央と、取付部１１３，１１５の中央には、それぞれ小孔からなるビス挿入孔１１７が形成されている。一対の取付部１１３，１１５は、それらの面が、第１ガイド部材１１０の面よりも所定寸法上方に位置するように、それらの根元部分に屈曲部１１９，１２１を設けている。屈曲部１１９，１２１は、階段状に２回逆方向に直角に屈曲することで形成されている。
【００２５】
第２ガイド部材１５０は金属板製であり、細長平板状に形成して構成されている。そして第２ガイド部材１５０の先端側の辺の中央には、略Ｕ字状に凹む棒金挿入部１５１が形成され、また棒金挿入部１５１の根元側中央部分には、略円形で前記保護カバー４０のカバー部４１全体を露出するカバー部露出部１５３が形成され、さらにカバー部露出部１５３の根元側中央部分には、細長スリット状で前記保護カバー４０のレバー部４３全体を露出するレバー部露出部１５５が形成されている。なおカバー部露出部１５３とレバー部露出部１５５を合わせて保護カバー露出部１５７と言うこととする。さらに第２ガイド部材１５０の前記把持部１０の一対のビス挿通孔１５に対向する位置と、前記第１ガイド部材１１０の取付部１１３，１１５の一対のビス挿入孔１１７に対向する位置に、それぞれねじ孔からなるビスねじ込み孔１５９が形成されている。棒金挿入部１５１は、各種硬貨の棒金を挿入できるように、各種硬貨の径を受け付ける寸法形状となっている。
【００２６】
凸部形成部材１７０は金属材を円柱薄板状に形成して構成されている。凸部形成部材１７０の中央にはねじ孔からなるビスねじ込み孔１７１が形成されている。
【００２７】
そして棒金開封装置１を組み立てるには、例えば図３において、まず予め第１ガイド部材１１０の上面中央に凸部形成部材１７０を載置し、第１ガイド部材１１０の下面側から第１ガイド部材１１０中央のビス挿入孔１１７にビス１９１を挿入して凸部形成部材１７０のビスねじ込み孔１７１にねじ込んで両者を一体化する。これによって第１ガイド部材１１０の上面中央に凸部が形成される。
【００２８】
次にカッター部７０の上面に第２ガイド部材１５０を載置し、カッター部７０の下面側から２つのビス挿通孔１５にそれぞれビス１９３を挿入して第２ガイド部材１５０の各ビスねじ込み孔１５９にねじ込んで両者を一体化する。
【００２９】
そしてカッター部７０のカッター取付部３０の下面側に前記第１ガイド部材１１０を配置し、その際第１ガイド部材１１０の一対の取付部１１３，１１５の上面を第２ガイド部材１５０の下面に当接し、取付部１１３，１１５のビス挿入孔１１７と、第２ガイド部材１５０の一対のビスねじ込み孔１５９の位置を一致させ、第１ガイド部材１１０の下面側から２つのビス挿入孔１１７にそれぞれビス１９５を挿入して第２ガイド部材１５０の各ビスねじ込み孔１５９にねじ込んで両者を一体化する。これによって棒金開封装置１が完成する。なお上記組立手順はその一例であり、他の各種異なる組立手順を用いて組み立てても良いことはいうまでもない。
【００３０】
以上のようにして構成された棒金開封装置１は、例えば図３，図６に示すように、把持部１０と、把持部１０の長手方向先端部に設置される第１ガイド部材１１０と、第１ガイド部材１１０の上面と所定の間隔を保ち第１ガイド部材１１０と平行に設置される回転刃３１と、回転刃３１の上部に配置される第２ガイド部材１５０とを具備して構成されている。そして第１ガイド部材１１０と回転刃３１の間に形成される隙間及びこの隙間の前方（凸部形成部材１７０の外周面に至るまで）の部分を保持部Ｓとする。保持部Ｓの一部を形成する第１ガイド部材１１０と回転刃３１の間の隙間寸法（高さ寸法）は、下記する棒金２００のカール部２０３の直径寸法よりも若干小さい寸法に形成されている。
【００３１】
そしてこの棒金開封装置１を用いて棒金２００を開封するには、図７に示すように、まず棒金２００の一方端部を棒金開封装置１の第２ガイド部材１５０の棒金挿入部１５１内に挿入し、前記棒金２００の一方端面を第１ガイド部材１１０の上面（凸部形成部材１７０の上面を含む）に当接する。ここで棒金２００は、前述のように、積層した硬貨をシート材（合成樹脂フイルム、紙等）で形成した包装体２０１により包むと共に、シート材の両端部（図７では一端部側のみ示す）を内側にカールすることで、カール部２０３を形成して構成されている。
【００３２】
このため棒金２００の一方端部は、カール部２０３の内側に露出している硬貨の面が、凸部（凸部形成部材１７０）の先端面に当接し、同時にカール部２０３が凸部の外周を囲む位置に位置して第１ガイド部材１１０の表面に軽く当接している（又は表面から少し離れている）。
【００３３】
そして指３００を第１ガイド部材１１０の指挿入部１１１内に挿入して、棒金２００の外周面を回転刃３１方向に所定の力で押圧し、これによって棒金２００の包装体２０１の外周面（カール部２０３の上部）に回転刃３１の刃先を押し当てる。
【００３４】
そして棒金２００の上部を手で掴んで回転すれば、棒金２００の回転方向とは逆方向に回転刃３１が回転しながら、同時に包装体２０１が円周状に切断されていく。そして棒金２００を１回転すると、カール部２０３がその上部の包装体２０１から切り取られ、包装体２０１が開封される。
【００３５】
そして図８に示すように、切り取られたカール部２０３を第１ガイド部材１１０上に残して、開封された棒金２００が取り去られる。切り取られたカール部２０３は、その一部が保持部Ｓ内の回転刃３１と第１ガイド部材１１０間の隙間に入り込んでいる。この隙間は前述のようにカール部２０３の直径よりも少し狭いので、カール部２０３は挟持される。特にこの例では、前記切断工程において、指３００によって棒金２００が回転刃３１に押し付けられるので、カール部２０３にも前記隙間に入り込むような力が加わっており、従って前記切断工程を行うだけで、カール部２０３の一部はスムーズに前記隙間に入り込み、挟持される。従って切り取られたカール部２０３は確実にこの棒金開封装置１に保持される。
【００３６】
このようにこの棒金開封装置１によれば、棒金２００の一方端面を第１ガイド部材１１０に当接して回動するだけで、様々な貨幣種の棒金の包装体２０１を容易に切り取って開封でき、同時に開封した際に生じる包装体２０１の切り取ったカール部２０３（切り屑）を保持できるので、切り取ったカール部２０３がバラした硬貨と共に釣銭の補充時に釣銭機内に混入してしまうこと等を確実に防止できる。これにより、包装体２０３の切り屑が釣銭機内に混入し、釣銭を払い出すときに硬貨詰まりを生じさせるといったようなトラブルが発生しなくなる。特にカール部２０３は様々な貨幣種の棒金において略同一の高さとなっており所定の剛性を有するので、このカール部２０３をカットして保持部Ｓに保持するように構成することで、様々な貨幣種の棒金の切り取ったカール部２０３の保持を容易且つ確実に行うことができる。
【００３７】
また前記切断工程の際、第１ガイド部材１１０には凸部形成部材１７０による凸部が設けられているので、包装体２０１のカール部２０３を凸部の外周を囲む位置に位置させて第１ガイド部材１１０の面から浮かせる（または弱い力で第１ガイド部材１１０の上面に当接させる）ことができる。これによって棒金２００の回転が容易に行え、容易に包装体２０１をカットすることができる。
【００３８】
また包装体２０１をカットする際、前述のように、指３００で棒金２００を押圧して外周面を回転刃３１に押し付けるので、この点からも包装体２０１のカットが容易且つスムーズに行える。
【００３９】
さらに第２ガイド部材１５０によって、棒金２００の長手方向に直交する面方向（水平方向）の位置決めを行い、また第１ガイド部材１１０によって棒金２００の長手方向（垂直方向）の位置決めを行っているので、棒金２００の回転刃３１に対する位置決めが容易且つ正確に行え、棒金２００の開封と、カットしたカール部２０３の保持とを何れも確実に行うことができる。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記棒金開封装置１では、第１ガイド部材１１０と第２ガイド部材１５０と凸部形成部材１７０によってガイド部材１００を構成したが、凸部形成部材１７０を省略しても良いし、第２ガイド部材１５０を省略しても良い。即ち第１ガイド部材１１０だけでも棒金２００の一方端面を当接することで棒金２００の長手方向の位置決めガイドができるし、これを回転することで回転刃３１による包装体２０１のカットもでき、さらに回転刃３１と第１ガイド部材１１０の間にカール部２０３を挟持する保持部Ｓも形成することができる。
【００４１】
また上記棒金開封装置１では、カッターとして回転刃３１を用いたが、本発明はこれに限定されず、回転しない固定刃を用いても良い。固定刃を用いても、これに触れる棒金２００を回転することで、包装体２０１をカットすることができる。なお、カッター取付部３０の構造も種々の変形が可能であり、要は第１ガイド部材１１０と所定の間隔を保ってカッターが設置される取付構造であればよい。
【００４２】
また前記保持部Ｓの一部を構成する第１ガイド部材１１０と回転刃３１の間の隙間は、必ずしも切り取ったカール部２０３の厚みより狭くなくても良い。この場合、前記隙間にカール部２０３を挟持することはできないが、載置・保持することはできる。また回転刃３１の刃先と凸部形成部材１７０の外周間の隙間を狭く設定することで、この隙間部分でカール部２０３を挟持するようにすることもできる。
【００４３】
また上記棒金開封装置１においては、第１ガイド部材１１０に凸部形成部材１７０を取り付けることで凸部を形成したが、第１ガイド部材１１０自体を湾曲変形するなどして凸部を形成しても良い。
【００４４】
また上記棒金開封装置１では、第１，第２ガイド部材１１０，１５０と凸部形成部材１７０を金属製としたが、合成樹脂としても良い。また上記例で合成樹脂製とした部材を金属製としても良い。
【００４５】
また、本発明の棒金開封装置１の実施形態において携帯して持ち歩けるものを示したが、本発明はこれに限らず、把持部１０に替えて装置内に据え付けを可能とする基材部とし、釣銭機などに組付けた棒金開封装置１としてもよい。
【００４６】
以上の説明に関し、さらに以下の項を開示する。
（付記１）
請求項１に記載の棒金開封装置であって、前記カッターは回転刃によって構成され、この回転刃が前記棒金の一方端部近傍の包装材を回転しながらカットすることを特徴とする棒金開封装置。このようにカッターとして回転刃を用いれば、棒金を回転することで同時に回転刃が回転し、容易且つスムーズに包装材をカットすることができる。
（付記２）
請求項１に記載の棒金開封装置であって、前記棒金の包装体は、積層した硬貨をシート材で包むと共に、その両端部を内側にカールするカール部を設けて形成されており、前記カッターによってカットされ前記保持部に保持されるのは、前記包装体の一方のカール部であることを特徴とする棒金開封装置。カール部は所定の剛性を有するので、このカール部（切り屑）をカットして保持部に保持するように構成することで、その保持を容易且つ確実に行うことが可能となる。
（付記３）
請求項１に記載の棒金開封装置であって、前記ガイド部材は、前記棒金の一方端面を当接する第１ガイド部材の他に、前記棒金の一方端部を挿入してガイドする第２ガイド部材を有し、これら第１，第２ガイド部材が、前記カッターの上下にそれぞれ配置されることを特徴とする棒金開封装置。第２ガイド部材によって、棒金の長手方向に直交する面方向の位置決めが行え、また第１ガイド部材によって棒金の長手方向の位置決めが行える。これらのことから、カッターに対する棒金の位置決めが容易且つ正確に行え、棒金の開封と、包装体の切り屑の保持とを確実に行うことができる。
（付記４）
請求項１に記載の棒金開封装置であって、前記ガイド部材には、前記棒金の外周面を前記カッターの刃に押し付ける指を挿入する指挿入部を設けたことを特徴とする棒金開封装置。これによって、容易に棒金の外周面をカッターの刃に押し付けることが可能となり、さらに容易且つスムーズに棒金の包装材をカットすることが可能となる。
【符号の説明】
【００４７】
１…棒金開封装置                        １０…把持部
１１…載置部                            １３…軸支孔
１５…ビス挿通孔                        １７…挿入部
３０…カッター取付部                    ３１…回転刃（カッター）
３３…軸支孔                            ４０…保護カバー
４１…カバー部                          ４３…レバー部
４４…操作部                            ４５…貫通孔
５０…固定ピン                          ５１…ピン本体部
５３…固定軸                            ５５…係止部
６０…軸係止部材                        ６１…係止用スリット
６３…操作部                            ７０…カッター部
１００…ガイド部材                      １１０…第１ガイド部材（ガイド部材）
１１１…指挿入部                        １１３，１１５…取付部
１１７…ビス挿入孔                      １１９，１２１…屈曲部
１５０…第２ガイド部材（ガイド部材）    １５１…棒金挿入部
１５３…カバー部露出部                  １５５…レバー部露出部
１５７…保護カバー露出部                １５９…ビスねじ込み孔
１７０…凸部形成部材（凸部）            １７１…ビスねじ込み孔
１９１，１９３，１９５…ビス            ２００…棒金
２０１…包装体                          ２０３…カール部
３００…指                              Ｓ…保持部
【図１】
2014182458.tif 000003
【図２】
2014182458.tif 000004
【図３】
2014182458.tif 000005
【図４】
2014182458.tif 000006
【図５】
2014182458.tif 000007
【図６】
2014182458.tif 000008
【図７】
2014182458.tif 000009
【図８】
2014182458.tif 000010